(57)【特許請求の範囲】
【請求項１】
窓枠用のガラスの内側にセットされる遊技板の前面に取着され、遊技領域である遊技面より下方に設けた発射装置から発射された遊技球を前記遊技面の上部まで弧を描く状態に誘導し得る湾曲状の外レールにおいて、
該外レールは、前記遊技板の前面に当接状態で取着される正面視ほぼ半円環形状の取付片と、その取付片の内周縁から前記ガラス側に向けて遊技球の直径より大きい出幅に延出させたガイドレールとを合成樹脂材により一体に成形してなり、さらに前記ガイドレールの球走行誘導面を前記遊技板の前面に対し鋭角をなす傾斜角度に傾けることにより、弧を描いて前記遊技面に誘導される遊技球を、遊技板の前面と前記ガイドレールの球走行誘導面との２点で接触させて走行させるようにしたことを特徴とするパチンコ機の外レール。
【発明の詳細な説明】
【０００１】
【発明の属する技術分野】
この発明は、パチンコ機における発射装置から発射された遊技球を遊技面側に誘導するための外レールに関する。
【０００２】
【従来の技術】
従来、パチンコ機の遊技板１においては図４に示すように外レール２が所定の湾曲状に、かつ遊技板１の前面に対し垂直状に取付けられ、この外レール２の誘導端側に返しゴム３が取付けられ、この返しゴム３に外レール２とほぼ連続する円弧面５を有する装飾枠４が取付けられ、さらに、この装飾枠４の円弧面５に連続して内レール６が外レール２の内側に所定の間隔を有して取付けられている。また、この内レール６の上昇端には戻り球防止ホルダー７が取付けられ、これらの外レール２、装飾枠４および内レール６により囲繞される略円形状の遊技面８には各種パターンの入賞口が形成されている。
【０００３】
この遊技面８の成形に当たっては外レール２および内レール６は図５に示すように所定の幅を有するステンレス帯鋼板の下縁に所定の間隔で取付孔９を貫設し、この取付孔９に取付金具（打ち釘）１０を取付けて、専用のレール打ち付け機により遊技板１の前面に対し垂直（直角）に打ち付けられて遊技面８が囲繞形成されていた。
【０００４】
【発明が解決しようとする課題】
しかしながら、この外レール２を遊技板１に所定の湾曲形状に、かつ垂直に取付けるためには同外レール２自体ステンレス帯鋼板からなるものであるから、所定の湾曲形状にして取付けるため、外レール２の打付け専用機を必要として経費が高くなる問題がある。また、外レール２は遊技板１に対し垂直に取付けられることから、図６に示すように発射装置（図示せず）から発射された遊技球Ｐは外レール２と遊技板１に接した状態で走行したり、また、外レール２とガラスＧ面に接した状態で走行したりして、走行軌道が安定しないため、遊技球Ｐの弾発力の調整が難しいため遊技者をイライラさせる原因となり、また、ガラスＧ面に接した場合には不快音が発生して遊技者をさらに苛立たせるという問題があった。本発明は、上記従来の問題点を解決するためになされたもので、発射装置からの発射球を安定して遊技面側に走行誘導することができて、不快音の発生を防止することのできるパチンコ機の外レールを提供することを目的とするものである。
【０００５】
【課題を解決するための手段】
請求項１に記載したように、窓枠用のガラスの内側にセットされる遊技板の前面に取着され、遊技領域である遊技面より下方に設けた発射装置から発射された遊技球を前記遊技面の上部まで弧を描く状態に誘導し得る湾曲状の外レールにおいて、該外レールは、前記遊技板の前面に当接状態で取着される正面視ほぼ半円環形状の取付片と、その取付片の内周縁から前記ガラス側に向けて遊技球の直径より大きい出幅に延出させたガイドレールとを合成樹脂材により一体に成形してなり、さらに前記ガイドレールの球走行誘導面を前記遊技板の前面に対し鋭角をなす傾斜角度に傾けることにより、弧を描いて前記遊技面に誘導される遊技球を、遊技板の前面と前記ガイドレールの球走行誘導面との２点で接触させて走行させるようにしたパチンコ機の外レールを提供する。かかる本発明によれば、発射装置より発射された遊技球は、ガイドレールと遊技板面とで形成される略Ｖ字形状の溝部に２点接触した状態で遊技面側へ誘導走行される。この誘導走行の状態で、外レールのガイドレールを遊技面の中心に向けて所定の傾斜角で設けたものであるから、遊技球がガラス面側へ移動しようとしてもこの傾斜角度により移動が抑制されて、常に略Ｖ字形状の溝部に２点接触した状態で遊技面側へ誘導走行されるものであるから、従来のガラス面とによる不快音の発生が防止されるとともに、遊技球の誘導走行が一定となって安定されるので、遊技面側への遊技球の飛着位置を目視で確認することで、弾発力を容易、かつ的確に調整することができることと相俟って遊技者の苛立ちを和らげることができる。また、前記外レールはガイドレールと取付片とを合成樹脂材により一体に成形したことにより、ガイドレールの湾曲形状および傾斜角を容易に付すことができるので、従来の外レール専用機を要することなく取付けを簡単に行うことができ、１度取付けても取外しが可能となる。また、成形金型の構成も簡単であり、コスト的に有利となる。
【０００６】
【実施例】
次に、本発明の実施例を図面にしたがって説明すると、図１は本実施例の外レール１１の平面図、図２は同外レール１１の断面図を示すもので、この外レール１１は合成樹脂材を射出成形してなるもので、この外レール１１は従来の外レール２の取付け範囲の長さで所定の曲率で湾曲状に形成され、その断面形状は図２に示すようにガイドレール１２と取付片１３とにより略Ｌ形状に形成され、また、取付片１３は所定の装飾形状に形成されて複数の釘孔、ビス孔１４が貫設されている。
【０００７】
このように形成された外レール１１を取付片１３を介して所定の位置にガイドレール１２を沿わせて遊技板１に取付けると、このガイドレール１２は遊技面８の中心に向けて遊技板１面に対し鋭角をなす傾斜角度αで傾斜状に取付けられて、このガイドレール１２と遊技板１面との間には略Ｖ字形状の溝部１５が形成されている。
【０００８】
このように形成された外レール１１を取付けたパチンコ機において、発射装置より発射された遊技球Ｐは図２に示すように、ガイドレール１２と遊技板１面とで形成される略Ｖ字形状の溝部１５に２点接触した状態で遊技面８側へ誘導走行される。このとき、外レール１１のガイドレール１２が、遊技面８の中心に向けて鋭角をなす傾斜角αに傾けられているため、遊技球ＰがガラスＧ面側へ移動しようとしてもこの傾斜角度αにより移動が抑制されて、常に略Ｖ字形状の溝部１５に２点接触した状態で遊技面８側へ誘導走行される。したがって、従来のガラスＧ面とによる不快音の発生が防止されるとともに、遊技球Ｐの誘導走行が一定となって安定されるので、遊技面８側への遊技球Ｐの飛着位置を目視で確認つつ、弾発力を容易、かつ的確に調整することができ、それによって遊技者の苛立ちを和らげることができる。
【０００９】
また、この外レール１１は合成樹脂材により射出成形するのでガイドレール１２と取付片１３とを一体に成形できるとともに、ガイドレール１２の湾曲形状および傾斜角を容易に付すことができるので、従来の外レール専用機を要することなく取付けを簡単に行うことができ、１度取付けても取外しが可能となる。また、成形金型の構成も簡単であり、コスト的に有利となる。
【００１０】
なお、上記実施例においては外レール１１を合成樹脂材のみで成形して例示したが、これに限定するものではなく、例えば遊技球Ｐがガイドレール１２の傾斜内側面の同一面箇所を摺接して同部分が磨耗する恐れがあるので、図３に示すように外レール１２を射出成形する際に、ガイドレール１２の内側面に沿ってステンレス帯鋼材１６をインサート成形することで遊技球Ｐによる磨耗を防止することができる。また、このガイドレール１２と溝部１５を形成する遊技板１側（の遊技球通路部）の磨耗を考慮して、同遊技面１側にステンレス鋼板を設けたり、また、上記外レール１２にインサート成形するステンレス帯鋼板１６に代り、断面略Ｌ形状に折曲成形したステンレス部材をインサート成形して取付けることにより、尚効果的である。
【図面の簡単な説明】
【図１】  外レールの平面図である。
【図２】  外レールの遊技板への取付け断面図でその作用説明図である。
【図３】  外レールの他の態様を示す断面図である。
【図４】  遊技板の正面図である。
【図５】  従来の外レールの正面図である。
【図６】  従来の外レールの遊技板への取付け断面図でその作用説明図である。
【符号の説明】
１  …遊技板
８  …遊技面
１１…外レール
１２…ガイドレール
１３…取付片
Ｇ  …ガラス
Ｐ  …遊技球
α  …遊技板面に対するガイドレールの傾斜角度
【図１】
0004099801.tif 000002
【図２】
0004099801.tif 000003
【図３】
0004099801.tif 000004
【図４】
0004099801.tif 000005
【図５】
0004099801.tif 000006
【図６】
0004099801.tif 000007